(57)【特許請求の範囲】
【請求項１】
枠体と、複数の面材と、この面材の吊り元を前記枠体に支持する支持部とを備えた建具であって、
前記複数の面材は、互いに隣接する側端縁同士が回動自在に連結され、
前記複数の面材のうち吊り元の面材以外の面材を、隣接する面材に対して回動させつつ前記見付け方向にスライド自在に支持する支持レールを備え、
前記支持部は、
前記枠体に取り付けられる枠体側取付部と、
枠体側回動軸によって前記枠体側取付部に回動自在に連結された中間部と、
前記吊り元の面材に取り付けられるとともに、前記枠体側回動軸と平行な面材側回動軸によって前記中間部に回動自在に連結された面材側取付部とを備え、前記面材を、前記枠体に対して回動自在に、かつ、当該面材と前記枠体の見付け面との面方向が平行となった状態を維持しつつ見付け方向にスライド自在に支持し、
前記複数の面材のうち少なくとも１つの面材と前記枠体とのうち一方には、全開係合部が設けられ、他方には、全開被係合部が設けられ、
前記複数の面材が重なりかつ前記枠体の外側に位置する全開状態において、当該複数の面材が見付け方向にスライドした際に、前記全開係合部と前記全開被係合部とが係合することで、前記複数の面材が前記枠体に対して固定される建具。
【請求項２】
第１回動軸によって回動自在に連結された一対の第１取付部を有する第１丁番と、
第２回動軸によって回動自在に連結された一対の第２取付部を有する第２丁番とを備え、
前記枠体側取付部は、前記第１丁番の一方の第１取付部であり、
前記枠体側回動軸は、前記第１回動軸であり、
前記面材側取付部は、前記第２丁番の一方の第２取付部であり、
前記面材側回動軸は、前記第２回動軸であり、
前記中間部は、前記第１丁番の他方の第１取付部と、前記第２丁番の他方の第２取付部と、当該他方の第１取付部および当該他方の第２取付部を固定する固定部とで構成されている請求項１に記載の建具。
【請求項３】
前記複数の面材のうち最も戸先側の面材は、他の面材よりも見付け方向の寸法が大きく形成され、前記全開係合部と前記全開被係合部とが係合する全開係合状態において、その一部が他の面材よりも前記枠体内に突出するように構成されている請求項１または請求項２に記載の建具。
【請求項４】
前記枠体と前記最も戸先側の面材における前記枠体内に突出する部分とのうち一方には、規制係合部が設けられ、他方には、規制被係合部が設けられ、
前記全開係合状態において、前記規制係合部と前記規制被係合部とが係合することで、前記全開係合部と前記全開被係合部との係合が解除される方向への前記複数の面材のスライドが規制される請求項３に記載の建具。
【請求項５】
前記全開係合部と前記全開被係合部との係合位置は、前記支持部よりも前記枠体の外側に設定されている請求項１から請求項４のいずれかに記載の建具。
【請求項６】
前記複数の面材のうち少なくとも１つの面材と前記枠体とのうち一方には、前記係合部を構成する全閉係合部が設けられ、他方には、前記被係合部を構成する全閉被係合部が設けられ、
前記複数の面材が直線状に並びかつ前記枠体の内側に位置する全閉状態において、当該複数の面材が見付け方向にスライドした際に、前記全閉係合部と前記全閉被係合部とが係合することで、前記複数の面材が前記枠体に対して固定される請求項３から請求項５のいずれかに記載の建具。
【発明の詳細な説明】
【技術分野】
【０００１】
本発明は、建具に関し、詳しくは、枠体に開閉自在に支持される面材を備えた建具に関する。
【背景技術】
【０００２】
従来、枠体に折れ戸が開閉自在に支持されたドアや窓などの建具において、折れ戸を全閉状態にしたときに施錠を行うための施錠装置が知られている（例えば、特許文献１参照）。
【０００３】
この特許文献１の装置では、吊り元の面材の上下端部に設けた軸を、枠体の左右に延びる長孔に嵌合させることで、吊り元の面材が回動しかつ左右にスライドするように構成されている。さらに、吊り元の面材の上下に、ロックピンを設けるとともに、枠体に当該ロックピンに係合可能なピン受体を設けている。
このような構成を用いて、折れ戸を施錠する際には、まず、全開状態の一対の面材を枠体中央にスライドさせつつ回動させることで、当該面材が直線状に並ぶ全閉状態とする。そして、この全閉状態を維持しつつ、一対の面材を枠体中央にスライドさせることで、ロックピンをピン受体に係合させ、折れ戸を施錠する。
【先行技術文献】
【特許文献】
【０００４】
【特許文献１】実開昭５７−１１０２５８号公報
【発明の概要】
【発明が解決しようとする課題】
【０００５】
しかしながら、特許文献１のような構成では、折れ戸をスライドさせるための長孔を枠体に設けるため、建具の製造工程が複雑になるおそれがある。また、長孔にゴミが溜まってしまうことで開閉に支障をきたすおそれがあり、当該長孔のゴミを除去するメンテナンスが煩わしいという問題もある。
【０００６】
本発明の目的は、簡単な操作で面材を枠体に固定できるとともに、製造工程の複雑化を抑制でき、かつ、煩わしいメンテナンスが不要な建具を提供することにある。
【課題を解決するための手段】
【０００７】
本発明の建具は、枠体と、複数の面材と、この面材の吊り元を前記枠体に支持する支持部とを備えた建具であって、前記複数の面材は、互いに隣接する側端縁同士が回動自在に連結され、前記複数の面材のうち吊り元の面材以外の面材を、隣接する面材に対して回動させつつ前記見付け方向にスライド自在に支持する支持レールを備え、前記支持部は、前記枠体に取り付けられる枠体側取付部と、枠体側回動軸によって前記枠体側取付部に回動自在に連結された中間部と、前記吊り元の面材に取り付けられるとともに、前記枠体側回動軸と平行な面材側回動軸によって前記中間部に回動自在に連結された面材側取付部とを備え、前記面材を、前記枠体に対して回動自在に、かつ、当該面材と前記枠体の見付け面との面方向が平行となった状態を維持しつつ見付け方向にスライド自在に支持し、前記複数の面材のうち少なくとも１つの面材と前記枠体とのうち一方には、全開係合部が設けられ、他方には、全開被係合部が設けられ、前記複数の面材が重なりかつ前記枠体の外側に位置する全開状態において、当該複数の面材が見付け方向にスライドした際に、前記全開係合部と前記全開被係合部とが係合することで、前記複数の面材が前記枠体に対して固定されることを特徴とする。
【０００８】
ここで、面材の開閉方向としては、左右方向であっても良いし、上下方向であっても良い。また、建具としては、例えば両縦枠にそれぞれ１つずつ回動自在に支持された面材で構成される開き戸であっても良いし、隣接する面材が回動自在に連結された折れ戸であっても良い。さらに、面材と枠体の見付け面とが平行となった状態とは、面材が枠体内に位置する建具が閉じられた状態と、面材が枠体外に位置する開かれた状態との少なくとも一方を意味するものである。また、例えば屋外から見て左側の縦枠に面材を支持させた場合、面材を左側にスライドさせた際に、係合部と被係合部とが係合される構成であっても良いし、右側にスライドさせた際に係合される構成であっても良い。
なお、上述の「面材と枠体の見付け面との面方向が平行となった状態」、および、後述する「全ての面材と枠体の見付け面との面方向が平行となった状態」とは、厳密な平行な状態のみを意味するものではなく、以下の効果を奏する範囲において平行から若干ずれた状態をも含むものである。
また、全開係合部としては、ピンなどの棒状部材、あるいは爪部を有する弾性部材が例示できる。また、全開被係合部としては、棒状部材や弾性部材の爪部が係合される溝が例示できる。さらに、全開係合部または全開被係合部が設けられる面材は、複数の面材のうちすくなくとも１つの面材であれば良い。
【０００９】
本発明によれば、面材側回動軸を中心にして面材を回動させることで、建具を開閉できる。また、中間部が枠体に対して枠体側回動軸を中心に回動可能、かつ、中間部が面材に対して面材側回動軸を中心に回動可能なため、面材と枠体の見付け面とが平行な状態を維持しつつ、面材を見付け方向にスライドさせることができ、係合部と被係合部とを係合させることにより面材を枠体に固定できる。
したがって、面材に設けた軸をスライドさせるための長孔を枠体に設けなくても、面材を見付け方向にスライドさせるだけの簡単な操作で、面材を枠体に固定することができる。さらに、従来の構成のような長孔を設ける必要がないため、建具の製造工程の複雑化を抑制できる上、長孔のゴミを除去するという煩わしいメンテナンスが不要となる。
また、本発明によれば、複数の面材から構成される折れ戸において、全開状態の面材をスライドさせるだけの簡単な方法で、面材を枠体に固定した状態（全開係合状態）にすることができる。なお、上述のあるいは後述する「面材が重なる状態」とは、面材が接触して重なっている状態であってもよいし、接触しないで重なっている状態であってもよい。
【００１０】
この際、本発明の建具では、第１回動軸によって回動自在に連結された一対の第１取付部を有する第１丁番と、第２回動軸によって回動自在に連結された一対の第２取付部を有する第２丁番とを備え、前記枠体側取付部は、前記第１丁番の一方の第１取付部であり、前記枠体側回動軸は、前記第１回動軸であり、前記面材側取付部は、前記第２丁番の一方の第２取付部であり、前記面材側回動軸は、前記第２回動軸であり、前記中間部は、前記第１丁番の他方の第１取付部と、前記第２丁番の他方の第２取付部と、当該他方の第１取付部および当該他方の第２取付部を固定する固定部とで構成されていることが好ましい。
ここで、固定部としては、他方の第１取付部と他方の第２取付部とを間接的に固定する板状部材などであっても良いし、直接的に固定する接着剤やボルトおよびナットであっても良い。
本発明によれば、汎用品である丁番を固定部で固定するだけの簡単な構成で、上述の効果を奏することができる。
【００１２】
さらに、本発明の建具では、前記複数の面材のうち最も戸先側の面材は、他の面材よりも見付け方向の寸法が大きく形成され、前記全開係合部と前記全開被係合部とが係合する全開係合状態において、その一部が他の面材よりも前記枠体内に突出するように構成されていることが好ましい。
本発明によれば、全開係合状態において、戸先側の面材の一部が他の面材よりも枠体内に突出するように構成されているため、当該突出する部分を手で持って複数の面材を全開状態にした後に、手を離すことなくそのまま面材をスライドさせることができ、建具を開ける操作を容易に行うことができる。
【００１３】
また、本発明の建具では、前記枠体と前記最も戸先側の面材における前記枠体内に突出する部分とのうち一方には、規制係合部が設けられ、他方には、規制被係合部が設けられ、前記全開係合状態において、前記規制係合部と前記規制被係合部とが係合することで、前記全開係合部と前記全開被係合部との係合が解除される方向への前記複数の面材のスライドが規制されることが好ましい。
本発明によれば、全開係合状態において、規制係合部と規制被係合部との係合により、全開係合状態が解除される方向への複数の面材のスライドが規制されるので、複数の面材を枠体に適切に固定することができ、面材のがたつきを抑制できる。
【００１４】
さらに、本発明の建具では、前記全開係合部と前記全開被係合部との係合位置は、前記支持部よりも前記枠体の外側に設定されていることが好ましい。
本発明によれば、支持部よりも枠体の外側において、複数の面材を枠体に固定するので、支持部よりも枠体の内側あるいは支持部と同じ位置において固定する場合と比べて、面材のがたつきを抑制できる。
【００１５】
また、本発明の建具では、前記複数の面材のうち少なくとも１つの面材と前記枠体とのうち一方には、前記係合部を構成する全閉係合部が設けられ、他方には、前記被係合部を構成する全閉被係合部が設けられ、前記複数の面材が直線状に並びかつ前記枠体の内側に位置する全閉状態において、当該複数の面材が見付け方向にスライドした際に、前記全閉係合部と前記全閉被係合部とが係合することで、前記複数の面材が前記枠体に対して固定されることが好ましい。
ここで、全閉係合部および全閉被係合部としては、全開係合部および全開被係合部と同様のものが例示できる。また、全閉係合部を全開係合部として機能させても良いし、全閉被係合部を全開被係合部として機能させても良い。
本発明によれば、折れ戸において、全閉状態の面材をスライドさせるだけの簡単な方法で、面材を枠体に固定状態（全閉係合状態）にすることができる。
【図面の簡単な説明】
【００１６】
【図１】本発明の実施形態に係る折れ戸の全閉係合状態を示す縦断面図。
【図２】前記全閉係合状態を示す正面図。
【図３】前記全閉係合状態における要部を示す横断面図。
【図４】前記折れ戸の全開係合状態における要部を示す横断面図。
【図５】前記折れ戸を構成する支持部の正面図。
【図６】前記折れ戸を開く動作および閉じる動作を示す説明図。
【図７】前記折れ戸を開く動作を示す説明図。
【図８】前記折れ戸を開く動作および閉じる動作を示す説明図。
【図９】前記折れ戸を閉じる動作を示す説明図。
【図１０】本発明の変形例に係る折れ戸を開く動作を示す説明図。
【発明を実施するための形態】
【００１７】
以下、本発明の一実施形態に係る建具としての折れ戸１を図面に基づいて説明する。
図１および図２に示すように、折れ戸１は、建物Ｂの開口部Ｂ１に設けられた引違い窓９０の室外側に配置される雨戸である。この折れ戸１は、それぞれアルミ形材製の上枠１１、下枠１２、および左右の縦枠１３を枠組みして形成された枠体１０と、上枠１１および下枠１２の室外側面にそれぞれ設けられた上下の支持レール２０と、２枚の吊り元面材３０と、上下に設けられた折れ戸丁番３１を介してそれぞれの吊り元面材３０に回動自在に連結された２枚の戸先面材４０と、２枚の吊り元面材３０の吊り元を左右の縦枠１３にそれぞれ開閉自在に支持する一対の支持部５０とを備えている。
【００１８】
図１から図３に示すように、上枠１１および下枠１２の左右の端部には、枠体１０の外側（以下、枠体外側という）に向けて略三角形板状に突出する片寄せ片１４が設けられている。この片寄せ片１４の枠体外側端部には、室外側に突出し被係合部を構成する全開被係合部１５が設けられている。この全開被係合部１５における枠体１０の中央側（以下、枠体中央側という）の側縁は、室外側が室内側よりも枠体外側に位置するように傾斜しており、後述する開閉係合部４２の係合ピン４２２が当接可能な全開斜辺部１５１を構成している。また、全開斜辺部１５１の室内側には、枠体中央側から枠体外側に向けて切り欠かれた全開係合溝部１５２が設けられている。
【００１９】
また、縦枠１３における上下方向略中央には、規制係合部としての施錠部１６が設けられている。この施錠部１６は、縦枠１３に固定された施錠ベース１６１に対して回動自在に設けられた回動板部１６２と、この回動板部１６２の回動先端側に設けられたピン１６３とを備えている。
【００２０】
支持レール２０は、戸先面材４０の戸先側の上端および下端にそれぞれ設けられた摺動部材４１がスライド自在に係合可能な断面略コ字状に形成されている。この摺動部材４１は、回転可能な戸車であってもよいし、回転しないローラであってもよい。この支持レール２０の左右両端側には、例えば樹脂により略長方形板状に形成された全開ガイド部材２１がそれぞれ嵌め込まれている。図４に詳細に示すように、この全開ガイド部材２１には、枠体中央側から外側に向けて延びるガイド溝部２１１が設けられている。このガイド溝部２１１における見込み方向の寸法は、枠体中央側端部が摺動部材４１の直径よりも大きく形成されており、当該端部よりも外側が摺動部材４１の直径と略等しく形成されている。
また、支持レール２０の左右方向略中央には、例えば全開ガイド部材２１と同じ材料で形成された全閉ガイド部材２２が嵌め込まれている。この全閉ガイド部材２２には、左右から中央に向けてそれぞれ延びる一対のガイド溝部２２１が設けられている。このガイド溝部２２１における見込み方向の寸法は、左右両端部が摺動部材４１の直径よりも大きく形成されており、当該端部よりも中央側が摺動部材４１の直径と略等しく形成されている。
【００２１】
このように、ガイド溝部２１１およびガイド溝部２２１の見込み方向の寸法を摺動部材４１の直径と略等しくすることにより、詳しくは後述するが、摺動部材４１がガイド溝部２１１やガイド溝部２２１に係合する状態において、戸先面材４０の戸先側における見込み方向のがたつきが抑制される。
【００２２】
また、支持レール２０の室外側面には、それぞれ一対の被係合部を構成する全閉被係合部２３が設けられている。この全閉被係合部２３は、全開被係合部１５と左右対称の形状に形成されており、全開ガイド部材２１と全閉ガイド部材２２との中間位置よりも若干全閉ガイド部材２２側に設けられている。そして、全閉被係合部２３における枠体外側の側縁は、室外側が室内側よりも枠体中央側に位置するように傾斜し、係合ピン４２２が当接可能な全閉斜辺部２３１を構成している。また、全閉斜辺部２３１の室内側には、枠体外側から枠体中央側に向けて切り欠かれた全閉係合溝部２３２が設けられている。
【００２３】
吊り元面材３０の室内側面における吊り元側かつ上下方向略中央には、上方に開口する略コ字状に形成されて、施錠部１６の回動板部１６２を受ける錠受け３２が設けられている。
戸先面材４０は、吊り元面材３０と高さ寸法が等しく、かつ、幅寸法が吊り元面材３０よりも大きく形成されている。この戸先面材４０の上端および下端における幅方向略中央には、係合部を構成する全開係合部および全閉係合部としての開閉係合部４２がそれぞれ設けられている。この開閉係合部４２は、戸先面材４０の室外面から水平方向に突出する係合ベース４２１と、この係合ベース４２１の一面から垂直方向に突出する係合ピン４２２とを備えている。また、戸先面材４０の上端に設けられた開閉係合部４２は、係合ピン４２２が上方に突出するように設けられ、下端に設けられた開閉係合部４２は、係合ピン４２２が下方に突出するように設けられている。
さらに、戸先面材４０の室内側面における戸先側かつ上下方向略中央には、錠受け３２と同様に施錠部１６の回動板部１６２を受ける規制被係合部としての錠受け４３が設けられている。
なお、吊り元面材３０および戸先面材４０は、上框、下框、左右の縦框を框組みした内部にガラス製や樹脂製のパネルを嵌め込んだ構成としても良い。
【００２４】
図３および図５に詳細に示すように、支持部５０は、左右の縦枠１３の上下２箇所において、吊り元面材３０を回動自在に支持している。この支持部５０は、一対の第１丁番５１と、一対の第２丁番５２と、第１丁番５１と第２丁番５２とを固定する固定部としてのクランク板５３と、一対の回動規制部５４とを備えている。
【００２５】
第１丁番５１は、縦枠１３の枠体中央側の見込み面に固定された取付部材５５にねじ止めされた一方の第１取付部としての枠体側取付部５１１と、第１回動軸としての枠体側回動軸５１３によって枠体側取付部５１１に回動自在に連結された他方の第１取付部としての第１中間取付部５１２とを備えている。また、第２丁番５２は、吊り元面材３０の吊り元側の見込み面にねじ止めされた一方の第２取付部としての面材側取付部５２１と、第２回動軸としての面材側回動軸５２３によって面材側取付部５２１に回動自在に連結された他方の第２取付部としての第２中間取付部５２２とを備えている。
【００２６】
クランク板５３は、例えば金属板をクランク状に屈曲させたものであり、上下の第１中間取付部５１２が固着される第１板部５３１と、この第１板部５３１の端部に立設する第２板部５３２と、この第２板部５３２の先端から第１板部５３１と反対側に延びて上下の第２中間取付部５２２が固着される第３板部５３３とを備えている。具体的に、クランク板５３は、第１丁番５１の第１中間取付部５１２が枠体側取付部５１１と直線状に並ぶように回動した際に、第２丁番５２の第２中間取付部５２２が第１中間取付部５１２よりも枠体外側に位置するように屈曲している。
そして、第１中間取付部５１２と、第２中間取付部５２２と、クランク板５３とにより、中間部５６が構成されている。
【００２７】
回動規制部５４は、縦枠１３における取付部材５５よりも屋外側にねじ止めされている。上側に設けられた回動規制部５４は、枠体中央側に向かって枠体側回動軸５１３と略等しい位置まで延びる規制ベース５４１と、この規制ベース５４１の先端から下方に向かって第１中間取付部５１２の上端側と対向する位置まで延びる規制突出部５４２とを備えている。そして、回動規制部５４は、規制突出部５４２と中間部５６を構成する第１中間取付部５１２と当接により、中間部５６の回動を規制する。また、下側の回動規制部５４の規制突出部５４２は、規制ベース５４１の先端から上方に向かって第１中間取付部５１２の下端側と対向する位置まで伸びており、第１中間取付部５１２との当接により中間部５６の回動を規制する。
【００２８】
以上のような折れ戸１を開くときの動作について、図６〜図８を参照して説明する。
まず、図６（Ａ）に示すように、吊り元面材３０および戸先面材４０が直線状に並び、かつ、開閉係合部４２の係合ピン４２２が全閉被係合部２３の全閉係合溝部２３２に係合している状態（以下、全閉係合状態という）では、係合ピン４２２と全閉係合溝部２３２との係合により戸先面材４０が枠体１０に対して固定されている。また、摺動部材４１が全閉ガイド部材２２のガイド溝部２２１に係合することにより、戸先面材４０の見込み方向のがたつきが抑制されている。さらに、施錠部１６のピン１６３が錠受け３２の枠体外側に位置するように、回動板部１６２が錠受け３２に受けられる（係合する）ことで、すなわち施錠部１６および錠受け３２で施錠することで、係合ピン４２２と全閉係合溝部２３２との係合が解除される方向（枠体外側方向）への吊り元面材３０のスライドが規制されている。
また、この全閉係合状態では、枠体側取付部５１１および第１中間取付部５１２が直線状に並び、面材側取付部５２１および第２中間取付部５２２も直線状に並び、さらに中間部５６の第３板部５３３が縦枠１３に近接している。
【００２９】
この全閉係合状態から折れ戸１を開く際には、まず、回動板部１６２を回動させて施錠を解除した後、図６（Ｂ）に示すように、吊り元面材３０および戸先面材４０と枠体１０の見付け面との面方向が平行となった状態を維持しつつ、吊り元面材３０および戸先面材４０を枠体外側にスライドさせる。
この吊り元面材３０のスライドに伴い、中間部５６が面材側取付部５２１に対して回動しつつ面材側回動軸５２３が枠体外側にスライドするとともに、枠体側回動軸５１３を中心にして中間部５６が枠体外側に回動する。そして、中間部５６が回動規制部５４と当接すると中間部５６の回動が規制され、吊り元面材３０および戸先面材４０のスライドも規制される。さらに、係合ピン４２２と全閉係合溝部２３２との係合が解除され、戸先面材４０が回動可能な状態（以下、全閉状態という）となる。
【００３０】
次に、図７（Ｃ）に示すように、さらに戸先面材４０を吊り元面材３０に対して回動させつつ枠体外側にスライドさせる。このとき、中間部５６の回動が回動規制部５４により規制されているため、戸先面材４０のスライドに伴い、面材側回動軸５２３を中心にして吊り元面材３０が枠体外側に回動し、やがて、図７（Ｄ）に示すように、係合ピン４２２が全開被係合部１５の全開斜辺部１５１と当接する。
【００３１】
この後、図８（Ｅ）に示すように、戸先面材４０を若干枠体中央側にスライドさせると、枠体側回動軸５１３を中心にして中間部５６が枠体中央側に回動し、中間部５６の第３板部５３３が縦枠１３に当接するとともに、係合ピン４２２が全開係合溝部１５２の開口部に当接する。これにより、吊り元面材３０および戸先面材４０が重なり、かつ、係合ピン４２２と全開係合溝部１５２とが係合していない状態となる（以下、全開状態という）。
【００３２】
そして、吊り元面材３０および戸先面材４０が重なった状態を維持しつつ、戸先面材４０を枠体外側にスライドさせると、図８（Ｆ）に示すように、枠体側回動軸５１３を中心にして中間部５６が枠体外側に回動し、係合ピン４２２が全開係合溝部１５２に係合する。この係合により、戸先面材４０を枠体１０に対して固定した状態（以下、全開係合状態という）となる。また、摺動部材４１が全開ガイド部材２１のガイド溝部２１１に係合することにより、戸先面材４０の見込み方向のがたつきが抑制される。この後、施錠部１６のピン１６３が錠受け４３の枠体内側に位置するように、回動板部１６２を錠受け４３に係合させることで、係合ピン４２２と全開係合溝部１５２との係合が解除される方向（枠体中央側方向）への吊り元面材３０のスライドを規制する。
以上により、折れ戸１が開かれた状態となる。
【００３３】
次に、折れ戸１を閉じるときの動作について、図９および上述の図６〜図８を参照して説明する。
まず、図８（Ｆ）に示すような全開係合状態において、施錠部１６および錠受け４３による施錠を解除した後、戸先面材４０を枠体中央側にスライドさせると、図８（Ｅ）に示す全開状態となる。
この後、戸先面材４０をさらに枠体中央側にスライドさせると、図９（Ａ）に示すように、中間部５６と縦枠１３との当接により、中間部５６の枠体中央側への回動が規制されているため、吊り元面材３０が面材側回動軸５２３を中心にして枠体中央側に回動し、やがて、図９（Ｂ）に示すように、係合ピン４２２が全閉被係合部２３の全閉斜辺部２３１と当接する。
【００３４】
この後、図６（Ｂ）に示すように、戸先面材４０を若干枠体外側にスライドさせると、枠体側回動軸５１３を中心にして中間部５６が枠体外側に回動して回動規制部５４に当接し、全閉状態となる。そして、戸先面材４０を枠体中央側に移動させることで、図６（Ａ）に示すような全閉係合状態となる。
以上により、折れ戸１が閉じられた状態となる。
【００３５】
以上の本実施形態によれば、以下の効果を得ることができる。
（１）すなわち、中間部５６が縦枠１３に対して枠体側回動軸５１３を中心に回動可能、かつ、中間部５６が吊り元面材３０に対して面材側回動軸５２３を中心に回動可能な支持部５０を設けているため、吊り元面材３０および戸先面材４０が重なった状態を維持しつつ戸先面材４０を枠体外側にスライドさせることができ、全開被係合部１５と開閉係合部４２とを係合させることにより吊り元面材３０および戸先面材４０を枠体１０に固定できる。
したがって、例えば吊り元面材３０の上端および下端に設けた軸をスライドさせるための長孔を枠体に設けなくても、吊り元面材３０および戸先面材４０を枠体外側にスライドさせるだけの簡単な操作で、枠体１０に固定できる。さらに、前記長孔を設ける必要がないため、折れ戸１の製造工程の複雑化を抑制できる上、長孔のゴミを除去するという煩わしいメンテナンスが不要となる。
【００３６】
（２）汎用品である第１丁番５１と第２丁番５２とをクランク板５３で固定することで支持部５０を構成しているため、簡単な構成で上述の効果を奏することができる。
【００３７】
（３）戸先面材４０の幅寸法を吊り元面材３０よりも大きくしているため、戸先面材４０の戸先側の部分を手で持って全開状態にした後に、手を離すことなくそのまま吊り元面材３０および戸先面材４０をスライドさせることができ、折れ戸１を開ける操作を容易に行うことができる。
【００３８】
（４）戸先面材４０の戸先側に錠受け４３を設けるとともに、縦枠１３に施錠部１６を設けているため、錠受け４３と施錠部１６との係合により、係合ピン４２２と全閉係合溝部２３２との係合が解除される方向への吊り元面材３０のスライドを規制することができ、吊り元面材３０と戸先面材４０とを枠体１０に固定することができる。よって、吊り元面材３０と戸先面材４０とのがたつきを抑制できる。
【００３９】
（５）全開被係合部１５を縦枠１３よりも枠体外側に設けることで、全開被係合部１５と開閉係合部４２との係合位置を支持部５０よりも枠体外側に設定している。このため、支持部５０よりも枠体中央側あるいは支持部５０と同じ位置において固定する場合と比べて、吊り元面材３０と戸先面材４０とのがたつきを抑制できる。
【００４０】
（６）開閉係合部４２と係合する全閉被係合部２３を支持レール２０に設けているため、全閉状態で枠体中央側にスライドさせて全閉被係合部２３と開閉係合部４２とを係合させるだけの簡単な方法で、折れ戸１を閉じた状態においても吊り元面材３０および戸先面材４０を枠体１０に固定できる。
【００４１】
（７）全開状態において戸先面材４０を枠体外側にスライドさせることで、全開被係合部１５と開閉係合部４２とを係合させる構成としている。このため、折れ戸１を開けるための自然な操作で吊り元面材３０と戸先面材４０とを固定できる。
【００４２】
（８）枠体側回動軸５１３を中心にした中間部５６の回動を規制する回動規制部５４を設けているため、中間部５６が枠体外側に回動しすぎることにより、開閉係合部４２が全開被係合部１５よりも枠体外側を通過してしまうという不具合を防止できる。
【００４３】
なお、本発明は、前記実施形態に限定されるものではなく、本発明の目的を達成できる他の構成等を含み、以下に示すような変形等も本発明に含まれる。
例えば、図１０に示すように、枠体外側から枠体中央側に向けて切り欠かれた全開係合溝部１５２Ａを有する全開被係合部１５Ａを片寄せ片１４に設けても良い。
このような構成において、折れ戸を開けるために戸先面材４０を枠体外側にスライドさせると、図６（Ａ），（Ｂ）、図７（Ｃ）、図１０（Ａ）に示すような順序で吊り元面材３０と戸先面材４０とが回動する。そして、さらに戸先面材４０を枠体外側にスライドさせると、図１０（Ｂ）に示すように、中間部５６の回動が回動規制部５４により規制された状態であっても、係合ピン４２２が全開被係合部１５Ａの全開斜辺部１５１Ａと当接することなく、全開係合溝部１５２Ａの開口部に当接する全開状態となる。この後、戸先面材４０を枠体中央側にスライドさせることで、図１０（Ｃ）に示すように、係合ピン４２２が全開係合溝部１５２Ａに係合する全開係合状態となる。
この図１０に示すような構成にすれば、戸先面材４０を枠体外側にスライドさせた後に、枠体中央側にスライドさせるだけで良く、折れ戸を開ける操作を容易にできる。
【００４４】
また、前記実施形態において、建具の一例である折れ戸として雨戸を例示したが、引違い窓９０の代わりに開口部Ｂ１に設けられる窓であっても良いし、防火用の扉であっても良い。また、折れ戸を構成する面材の数は、３枚以上であっても良い。さらには、両開きの折れ戸ではなく、片開きの折れ戸であっても良いし、１枚の面材からなる片開きの窓、さらには、左右縦枠にそれぞれ１枚ずつの面材が支持された両開きの窓であっても良い。
そして、第１丁番５１と第２丁番５２とをクランク板５３で連結することで支持部５０を構成したが、第１中間取付部５１２と第２中間取付部５２２とクランク板５３とを１枚の板状部材で構成した中間部を用い、当該中間部と、枠体側取付部５１１と、枠体側回動軸５１３と、面材側取付部５２１と、面材側回動軸５２３とによって、支持部を構成してもよい。また、１つのクランク板５３の上下のそれぞれに、第１丁番５１と第２丁番５２とを固着したが、２つのクランク板を用い、当該２つのクランク板のそれぞれに、第１丁番５１と第２丁番５２とをそれぞれ１つずつ固着する構成としてもよい。
【００４５】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【符号の説明】
【００４６】
１…建具としての折れ戸、１０…枠体、１５，１５Ａ…被係合部を構成する全開被係合部、１６…規制係合部としての施錠部、２０…支持レール、２３…被係合部を構成する全閉被係合部、３０…吊り元面材、４０…戸先面材、４２…係合部を構成する全開係合部および全閉係合部としての開閉係合部、４３…規制被係合部としての錠受け、５０…支持部、５１…第１丁番、５２…第２丁番、５３…固定部としてのクランク板、５６…中間部、５１１…一方の第１取付部としての枠体側取付部、５１２…他方の第１取付部としての第１中間取付部、５１３…第１回動軸としての枠体側回動軸、５２１…一方の第２取付部としての面材側取付部、５２２…他方の第２取付部としての第２中間取付部、５２３…第２回動軸としての面材側回動軸。
【図１】
0005700670.tif 000002
【図２】
0005700670.tif 000003
【図３】
0005700670.tif 000004
【図４】
0005700670.tif 000005
【図５】
0005700670.tif 000006
【図６】
0005700670.tif 000007
【図７】
0005700670.tif 000008
【図８】
0005700670.tif 000009
【図９】
0005700670.tif 000010
【図１０】
0005700670.tif 000011